(57)【特許請求の範囲】
【請求項１】
垂直状の垂直状支持板の上方部と、該垂直状支持板の上端から外方下向きに傾斜状とした傾斜状支持板と、該傾斜状支持板の下端から内方に向かって水平状となる水平支持板とから構成される三角状部を有する左右対称の吊子半体と、該吊子半体の両垂直状支持板の下方に接続される台座とを備え、前記両吊子半体の両垂直状支持板が当接されてなり、前記吊子半体は、垂直状支持板の上端より前記傾斜状支持板が折曲形成され、該傾斜状支持板の下端から前記水平支持板が折曲形成され、該水平支持板の内端は前記垂直状支持板に固着されてなることを特徴とする建築用受具。
【請求項２】
請求項１において、前記吊子半体は、垂直状支持板の上端より前記傾斜状支持板が折曲形成され、該傾斜状支持板の下端から前記水平支持板が折曲形成され、該水平支持板の内端から上方に向かって垂直立上り板が形成され、該垂直立上り板の上端は前記垂直状支持板と前記傾斜状支持板との隅角箇所に食い込む構成としてなることを特徴とする建築用受具。
【請求項３】
請求項１において、前記吊子半体は、垂直状支持板の上端より前記傾斜状支持板が折曲形成され、該傾斜状支持板の下端から前記水平支持板が折曲形成され、該水平支持板の内端から下方に向かって垂下状板が形成され、該垂下状板は前記垂直状支持板に固着されてなることを特徴とする建築用受具。
【請求項４】
垂直状の垂直状支持板の上方部と、該垂直状支持板の上端から外方下向きに傾斜状とした傾斜状支持板と、該傾斜状支持板の下端から内方に向かって水平状となる水平支持板とから構成される三角状部を有する左右対称の吊子半体と、該吊子半体の両垂直状支持板の下方に接続される台座とを備え、前記両吊子半体の両垂直状支持板が当接されてなる建築用受具と、水平底面を有する下馳部と、水平底面を有する上馳部とを備えた折板屋根板とからなり、前記建築用受具が所定間隔に配置され、隣接する建築用受具間に折板屋根板が配置され、前記下馳部の水平底面が前記吊子半体の一方側の水平支持板の下面側に配置され、前記吊子半体の他方側の水平支持板の下面側に上馳部の水平底面が配置されるように構成されてなることを特徴とする外囲体。
【発明の詳細な説明】
【技術分野】
【０００１】
本発明は、馳締タイプの折板屋根において、台風又は強風による負圧に対する耐久性において極めて優れたものにできる建築用受具及びその外囲体に関する。
【背景技術】
【０００２】
従来、金属製の馳締タイプの折板屋根板から構成される折板屋根（壁も含む）が多く施工されている。このような折板屋根を構成する折板屋根板は、一般に谷状部の幅方向両側に傾斜状の立上り部が形成され、幅方向一方側に下馳部を、他方側に上締部がそれぞれ形成されたものである。
【０００３】
そして、その折板屋根板を複数並設し、隣接する折板屋根板同士の下馳部と上馳部とを吊子を介して重合しつつ馳締し、吊子は受金具に装着されて、折板屋根が施工される。そして、台風時に屋根材に作用する吹上荷重に対して屋根が安全であるか否かは吊り子と馳締部(屋根材断面の端部)の複合した構造的形状によって定まるのでどちらか一方に欠陥があっても安全性は保たれない。
【先行技術文献】
【特許文献】
【０００４】
【特許文献１】特開２０００−３２８７２７号公報
【特許文献２】特開平８−４２０７２号公報
【発明の開示】
【発明が解決しようとする課題】
【０００５】
このように、馳締タイプの折板屋根では、台風又は強風等による大きな負圧に対する耐性を有するために、種々の吊子が開発されており、その一例として特許文献１及び特許文献２が存在する。この特許文献１では、吊子の長手方向に交差する方向に伸びる屈曲部（補強リブ）が形成されたものである。
【０００６】
特許文献１では、屈曲部（補強リブ）が形成されることにより、吊子自体の強度が向上し、これによって、吊子を介して装着する折板屋根材も強固な固定にすることを実現しようとするものである。特許文献２では、丸馳タイプの屋根板が開示されている。
【０００７】
上記のような、丸馳状タイプの馳締部を有する吊子ａは一般的に釣針状とした断面形状のものが多い〔図６(Ａ)参照〕。このような馳締折板屋根板ｂにおいて、強風による負圧荷重が折板屋根板の全面にかかると、負圧荷重が折板屋根板ｂを上方に押し上げるように作用し、吊子ａと折板屋根板ｂの馳締部に負圧荷重が集中するような状態となる。
【０００８】
そして、吊子ａの馳締部は略円形ロール状に形成され、負圧荷重が増加すると共に、折板屋根板ｂがめくり上げられるように傾いてくる。折板屋根板ｂがめくり上げられる量が増加するにしたがい、吊子ａの馳締部が折板屋根板を保持しきれなくなり、折板屋根板ｂは極めて外れ易いものとなる〔図６（Ｂ）参照〕。
【０００９】
このような馳締タイプの折板屋根では、台風又は強風等のときに、大きな負圧が折板屋根に作用する。そのために、屋根を構成する折板屋根板は、前述の負圧によって、馳締部分が拡がるように変形して締付力及び抵抗性が弱くなる。そして、折板屋根から折板屋根板ｂが剥がれ出し、ほとんどの折板屋根板ｂが連鎖的に吹き飛ばされ、屋根が破壊されることになる。本発明の目的は、特に丸馳タイプの折板屋根において、負圧に対する耐久性を極めて優れたものにできる馳締用吊子を提供することにある。
【課題を解決するための手段】
【００１０】
そこで、発明者は上記課題を解決すべく、鋭意，研究を重ねた結果、請求項１の発明を、垂直状の垂直状支持板の上方部と、該垂直状支持板の上端から外方下向きに傾斜状とした傾斜状支持板と、該傾斜状支持板の下端から内方に向かって水平状となる水平支持板とから構成される三角状部を有する左右対称の吊子半体と、該吊子半体の両垂直状支持板の下方に接続される台座とを備え、前記両吊子半体の両垂直状支持板が当接されてなり、前記吊子半体は、垂直状支持板の上端より前記傾斜状支持板が折曲形成され、該傾斜状支持板の下端から前記水平支持板が折曲形成され、該水平支持板の内端は前記垂直状支持板に固着されてなる建築用受具としたことにより、上記課題を解決した。
【００１１】
請求項２の発明を、請求項１において、前記吊子半体は、垂直状支持板の上端より前記傾斜状支持板が折曲形成され、該傾斜状支持板の下端から前記水平支持板が折曲形成され、該水平支持板の内端から上方に向かって垂直立上り板が形成され、該垂直立上り板の上端は前記垂直状支持板と前記傾斜状支持板との隅角箇所に食い込む構成としてなる建築用受具としたことにより、上記課題を解決した。
【００１２】
請求項３の発明を、請求項１において、前記吊子半体は、垂直状支持板の上端より前記傾斜状支持板が折曲形成され、該傾斜状支持板の下端から前記水平支持板が折曲形成され、該水平支持板の内端から下方に向かって垂下状板が形成され、該垂下状板は前記垂直状支持板に固着されてなる建築用受具としたことにより、上記課題を解決した。
【００１３】
請求項４の発明を、垂直状の垂直状支持板の上方部と、該垂直状支持板の上端から外方下向きに傾斜状とした傾斜状支持板と、該傾斜状支持板の下端から内方に向かって水平状となる水平支持板とから構成される三角状部を有する左右対称の吊子半体と、該吊子半体の両垂直状支持板の下方に接続される台座とを備え、前記両吊子半体の両垂直状支持板が当接されてなる建築用受具と、水平底面を有する下馳部と、水平底面を有する上馳部とを備えた折板屋根板とからなり、前記建築用受具が所定間隔に配置され、隣接する建築用受具間に折板屋根板が配置され、前記下馳部の水平底面が前記吊子半体の一方側の水平支持板の下面側に配置され、前記吊子半体の他方側の水平支持板の下面側に上馳部の水平底面が配置されるように構成されてなる外囲体としたことにより、上記課題を解決した。
【発明の効果】
【００１５】
請求項１の発明では、吊子半体には、垂直状の垂直状支持板の上方部と、該垂直状支持板の上端から外方下向きに傾斜状とした傾斜状支持板と、該傾斜状支持板の下端から内方に向かって水平状となる水平支持板とから構成される三角状部を有する。そして、二つ吊子半体は左右対称となるようにして両垂直状支持板の下方に接続される台座とを備えている。
【００１６】
これによって、折板屋根板の下馳部と上馳部とを固定する部分は三角状部の水平支持板であり、該水平支持板は垂直状支持板と傾斜状支持板とで補強される構造である。これによって、二つの吊子半体によって、水平支持板が下馳部と上馳部とを強固に支持することができ母屋，胴縁等の構造材に支持された折板屋根板は、特に馳締部において馳締用吊子にて強固に固定され、台風又は強風による負圧に対しても吹き飛ばされることなく十分な耐久性を有するものにできる。
【００１７】
さらに、両吊子半体は、左右で独立した構造物であり、固着具或いは溶接個所による接続箇所以外での伸縮は、それぞれ自由に弾性範囲内で伸縮可能となる。これによって、両吊子半体は、それぞれにかかる荷重の違いによって、伸縮量も相互に異なるようにすることができる。折板屋根板の下馳部と上馳部とを、当接した状態を維持することができ、強固に固定することができる。
【００１８】
さらに、請求項１の発明では、三角状部の形状を簡単なものとし、製造工程も少なく、低価格にて提供することができる。請求項２の発明では、水平支持板の内端から上方に向かって垂直立上り板が形成され、該垂直立上り板の上端は垂直状支持板と傾斜状支持板との隅角箇所に食い込む構成としたことにより、三角状部の構造を極めて強固にすることができる。
【００１９】
請求項３の発明では、水平支持板の内端から下方に向かって垂下状板が形成され、該垂下状板は前記垂直状支持板に固着されたことにより、三角状部を強固な構成にすることができる。請求項４は、折板屋根板の下馳部及び上馳部に水平底面を設け、該水平底面と前記水平支持板とを当接する構成としたので、下馳部と上馳部による馳締部を極めて強固に固定することができる。
【図面の簡単な説明】
【００２０】
【図１】（Ａ）は本発明における第１実施形態の建築用受具が使用された外囲体の一部の正面図、（Ｂ）は（Ａ）の（α）部拡大図、（Ｃ）は吊子本体の縦断正面図である。
【図２】（Ａ）は本発明における第１実施形態の建築用受具に外囲体にかかる負圧荷重が作用している状態の要部正面略示図、（Ｂ）は（Ａ）の（β）部拡大図である。
【図３】（Ａ）は本発明における建築用受具の第２実施形態の要部拡大図、（Ｂ）は本発明における建築用受具の第３実施形態の要部拡大図、（Ｃ）は本発明における建築用受具の第４実施形態の要部拡大図、（Ｄ）は本発明における建築用受具に対して馳締部の変形例を具備した建築用板材を施工した要部拡大図である。
【図４】（Ａ）は本発明における第１実施形態の建築受具の斜視図、（Ｂ）は本発明における第１実施形態の建築受具の台座の一部を省略した側面図、（Ｃ）は本発明における建築用受具の第５実施形態の実施形態の正面図である。
【図５】（Ａ）は本発明の建築用受具に外囲体を介して負圧荷重がかかったときの荷重の状態を示す略示正面斜視図、（Ｂ）及び（Ｃ）は本発明の建築用受具が外囲体を介してかかる負圧荷重に耐える状態を示す略示図である。
【図６】（Ａ），（Ｂ）は従来技術において負圧荷重によって外囲体を構成する屋根板が吊子から外れる状態を示す略示図である。
【発明を実施するための形態】
【００２１】
以下、本発明の実施形態を図面に基づいて説明する。本発明における建築用受具は、図１（Ａ），（Ｂ）に示すように、吊子本体Ａと台座６とから構成される。吊子本体Ａは、左右対称とした三角形状部位を有する吊子半体Ａ1，Ａ1から構成される。両吊子半体Ａ1は、それぞれ、垂直状支持板１と、傾斜状支持板２，２と、水平状支持板３，３とから構成される。前記垂直状支持板１の下方側には、台座６が接続される。
【００２２】
吊子本体Ａにおける両吊子半体Ａ1，Ａ1の構成は、その構造によって、複数の実施形態が存在する。まず、垂直状支持板１は、金属板から形成され、側面より見ると上方から長方形状部１ａ，逆台形状部１ｂ及び方形状部１ｃが形成されたものである。つまり、垂直状支持板１は上方から下方に向かって次第に前後方向の寸法が狭まる形状となっている〔図４（Ａ），（Ｂ）参照〕。
【００２３】
吊子本体Ａには、複数の実施形態が存在する。まずその第１実施形態から説明する。第１実施形態は、図１，図２に示すように、吊子本体Ａを正面側より見て、垂直状支持板１の上端から前記吊子本体Ａの外方且つ下向きに傾斜状支持板２が折曲形成され、該傾斜状支持板２の下端から前記水平状支持板３が折曲形成される。
【００２４】
該水平状支持板３は、水平状で且つ垂直状支持板１に対して直角となる。垂直状支持板１の上方部と、傾斜状支持板２と、水平状支持板３とによって、前記垂直状支持板１と前記水平状支持板３とのなす角部を直角とした直角三角形状の三角状部Ａ2が形成される。
【００２５】
前記水平状支持板３の内端より垂直立上り板４が形成される。該垂直立上り板４は、水平支持板３の内端から前記垂直状支持板１に沿って上方に向かって垂直状に形成されている。垂直立上り板４の上端は、垂直状支持板１と傾斜状支持板２とのなす隅角部に食い込むような状態となる。
【００２６】
また、垂直立上り板４は、垂直状支持板１に近接又は当接する構造である。垂直立上り板４は、垂直状支持板１に溶接（スポット溶接等）手段又はリベット等の固着手段によって固着されたり、或いは固着されない構成とすることもある。
【００２７】
該垂直立上り板４は、水平支持板３を前記傾斜状支持板２と共に補強する役目をなす。垂直立上り板４を垂直状支持板１に固着することで、三角状部Ａ2に剛性を向上させる。また、垂直立上り板４は、垂直状支持板１と傾斜状支持板２との隅角部に食い込む構成としているので、水平支持板３に荷重がかかっても、垂直立上り板４の上端が前記隅角に当接して、水平支持板３の位置が変位不可能となる。
【００２８】
吊子本体Ａは、正面より見て、前記傾斜状支持板２の長さ寸法は、垂直状支持板１の長さ寸法よりも格段に短く、また水平状支持板３の長さ寸法も垂直状支持板１よりも格段に短い。したがって、垂直状支持板１，水平状支持板３傾斜状支持板２及び水平状支持板３によって形成される三角状部Ａ2は、垂直状支持板１の上端付近に形成される。
【００２９】
そして、前記三角状部Ａ2を有する吊子半体Ａ1が２つ形成され、この２つの吊子半体Ａ1，Ａ1の両垂直状支持板１，１が対向するようにして組み合わせられる〔図１（Ｃ）参照〕。両吊子半体Ａ1，Ａ1の垂直状支持板１，１の下方側の方形状部１ｃ又は逆台形状部１ｂは台座６と接続されている。
【００３０】
両吊子半体Ａ1，Ａ1同士の両垂直状支持板１，１の下方部と、台座６とはボルト・ナット等の固着具７にて連結される。台座６は、左右対称の二つの脚部６１，６１から構成され、取付部６１ａ，脚状板６１ｂとから構成されている。そして、両取付部６１ａ，６１ａにて前記吊子本体Ａの両垂直状支持板１，１を挟持しつつ、ボルト・ナット等の固着具７にて固着する〔図１（Ａ），（Ｂ），図３，図４（Ａ）等参照〕。
【００３１】
次に、屋根，壁等の外囲体を構成する板折板屋根板８は、図１（Ａ），（Ｂ），図２等に示すように、主板８１の幅方向両側より立上り側部８２，８２が形成され、両立上り側部８２，８２の両端より頂部８３，８３が形成され、該頂部８３，８３の一方の端から立上り首部８４を介して丸馳タイプの下馳部８５が形成され，他方の頂部８３の端から上馳首部８４を介して丸馳タイプの上馳部８６が形成されている。
【００３２】
下馳部８５は、水平底面８５ａの外端から下重合面８５ｂが形成されている。該下重合面８５ｂは、略（１／４）円弧状に形成されている。また、上馳部８６は、水平底面８６ａと上重合面８６ｂが形成されている。該上重合面８６ｂは、略半円状に形成されている。さらに、前記下馳部８５と前記上馳部８６の変形例として、前記上重合面８６ｂは、図３（Ｄ）に示すように、略三角山形状に形成されたり、或いは図３（Ｄ）の想像線に示すように、略長方形状に形成されることもある。
【００３３】
折板屋根の施工では、母屋，胴縁等の構造材９に本発明の建築用受具を、折板屋根板８の幅方向の間隔に対応させて所定間隔に配置固定する。次に、建築用受具間に折板屋根板８，８…を複数並設し、それぞれの隣接する折板屋根板８，８ の下馳部８５を建築用受具の吊子本体Ａの一方側の吊子半体Ａ1の三角状部Ａ2に沿わせるようにして配置する。
【００３４】
そして、隣接する折板屋根板８の上馳部８６を他方側の吊子半体Ａ1の三角状部Ａ2に沿わせるようにして配置し、前記下馳部８５の下重合面８５ｂに、上馳部８６の上重合面８６ｂを重合しつつ、上重合面８６ｂの端部に形成された嵌合端片８６ｃを下馳部８５の水平底面８５ａに嵌合する〔図１（Ａ），（Ｂ），図２参照〕。この作業を順次繰り返して、折板屋根をするものである。
【００３５】
次に、本発明における建築用受具によって施工された屋根，壁等の外囲体に強風等による負圧荷重に抵抗する構造を説明する。まず、強風等によって屋根にかかる負圧荷重ｐ，ｐ，…は、分布荷重として折板屋根板８の表面全体及び前後方向の全長Ｌに亘ってかかる〔図５（Ａ）参照〕。
【００３６】
台風又は強風等によって発生する負圧荷重ｐ，ｐ，…がかかると、折板屋根板８，８…には、上方に持ち上げられるようになる。ここで、屋根にかかる荷重の状態を理解し易くするために、分布荷重である負圧荷重ｐ，ｐ，…を垂直方向上向きの集中荷重Ｐに置き換えて、該集中荷重Ｐが折板屋根板８の傾斜状の立上り側部８２の略中間箇所にかかるものとする〔図２，図５（Ａ）参照〕。
【００３７】
集中荷重Ｐは、吊子本体Ａの両側の折板屋根板８，８の立上り側部８２，８２に作用するものであり、それぞれの集中荷重Ｐの水平方向分力Ｐhによって、吊子本体Ａの両側にて隣接する折板屋根板８，８同士の両立上り側部８２，８２及び両頂部８３，８３が共に近接しようとする〔図２，図５（Ａ），（Ｂ）参照〕。
【００３８】
つまり、両吊子半体Ａ１，Ａ１同士が押圧し合う構造となり、吊子本体Ａの三角状部Ａ2，Ａ2は、極めて強固な構造体となる。特に、水平支持板３，３同士は、水平方向に沿って、より一層、近接しようとし、水平状態を強固に維持することができる。これによって、折板屋根板８，８…を強固に支持する。
【００３９】
また、同時に、吊子本体Ａの両側の集中荷重Ｐは、両吊子半体Ａ１，Ａ１を垂直方向に押し上げようとする力がかかるが、両吊子半体Ａ１，Ａ１の垂直状支持板１，１には集中荷重Ｐに対する反力Ｐｒが生じることとなる。この反力Ｐｒは、集中荷重Ｐに対する抵抗荷重となる。
【００４０】
反力Ｐｒがかかる両垂直状支持板１，１と、水平方向分力Ｐhが作用する両水平支持板３，３とによって、吊子本体Ａの両側三角状部Ａ2，Ａ2は、極めて強固な構造となる。したがって、吊子本体Ａの両側の折板屋根板８，８は、集中荷重Ｐによってめくり上げられようとするときに、両三角状部Ａ2，Ａ2の両水平支持板３，３が下馳部８５及び上馳部８６を押え付ける。また、集中荷重Ｐに抵抗する反力Ｐｒは、折板屋根板８の長手方向の長さに比例して大きくなる。
【００４１】
そして、両折板屋根板８，８の立上り首部８４，８４には、集中荷重Ｐを受けることになり、図５（Ｃ）に示すように、立上り首部８４は弾性領域内で変形することにより、集中荷重Ｐが無くなると元の状態に復元される。これによって、折板屋根板８，８はめくり上げられるような状態とならず、折板屋根板８，８…を吊子本体Ａに保持することができる。
【００４２】
次に、上記負圧荷重ｐ，ｐ，…が吊子本体Ａの三角状部Ａ2，Ａ2に係るときの状態を図２に基づいてさらに詳しく説明する。上馳部８６の上重合面８６ｂにかかる負圧荷重ｐ，ｐ，…によって、下馳部８５の水平底面８５ａ及び上馳部８６の水平底面８６ａから、吊子本体Ａの両水平支持板３，３に負圧荷重ｐ，ｐ，…がかかる。ここで、それぞれの水平支持板３にかかる負圧荷重ｐ，ｐ，…を、一つの集中荷重Ｐに置き換える。
【００４３】
すると、水平支持板３には、集中荷重Ｐによる曲げモーメントＭが生じる。この曲げモーメントＭにより、それぞれの傾斜状支持板２には圧縮応力Ｆが作用する。ここで、傾斜支持板２と水平支持板３とのなす角度をθとすると、傾斜状支持板２にかかる圧縮応力Ｆに対して、垂直方向の分力はＦsinθである。つまり、垂直方向分力（Ｆsinθ）は、集中荷重Ｐと等しい。
【００４４】
折板屋根板８の全体、つまり主板８１，立上り側部８２，下馳部８５及び上馳部８６等にかかる負圧荷重ｐ，ｐ，…によって、折板屋根板８を固定する下馳部８５及び上馳部８６に荷重による応力が集中するようになる。しがたって、下馳部８５，上馳部８６及び吊子本体Ａに負担がかかる。
【００４５】
前述したように、折板屋根板８を上方に持ち上げようとする負圧荷重ｐ，ｐ，…は、まず、吊子本体Ａの水平支持板３にかかり、水平支持板３を補強する傾斜状支持板２に圧縮応力Ｆがかかる。該圧縮応力Ｆから垂直状支持板１に、前記垂直方向分力Ｆsinθが働き、これが、負圧荷重ｐ，ｐ，…による折板屋根板８を持ち上げようとする力に対抗するものでる。
【００４６】
つまり折板屋根板８にかかる負圧荷重ｐ，ｐ，…に抵抗する力は垂直状支持板１に作用し、その負圧荷重ｐ，ｐ，…に対する抵抗力は、下向きの反力Ｐｒとして以下のようになる。
0006423627.tif 000002
となる。反力Ｐｒは、図２（Ｂ）及び図５（Ｃ）に示すように、力の方向が下向きであり、よってマイナス（−）符号を付記して示される。
【００４７】
折板屋根板８，８…によって構成された屋根，壁等の外囲体に負圧荷重ｐ，ｐ，…がかかる場合、その折板屋根板８の形状により、負圧荷重ｐ，ｐ，…が必ずしも等分布荷重とはならず、荷重に変動が生じることも十分にある。この場合、吊子本体Ａのそれぞれの水平支持板３にかかる負圧荷重ｐ，ｐ，…が異なる場合には両吊子半体Ａ1，Ａ1の垂直状支持板１，１には異なる抵抗量がかかり、その伸縮量も異なるようにすることができる。
【００４８】
したがって、下馳部８５の水平底面８５ａと、上馳部８６の水平底面８６ａは、共に両吊子半体Ａ1，Ａ１の水平支持板３，３に当接した状態を維持することができ、下馳部８５及び上馳部８６を強固に固定することができる。
【００４９】
前記吊子本体Ａの第２実施形態として、前記吊子半体Ａ1は、垂直状支持板１の上端より前記傾斜状支持板２が折曲形成され、該傾斜状支持板２の下端から前記水平支持板３が折曲形成され、該水平支持板３の内端は前記垂直状支持板１に溶接等の固着手段にて固着されたものである〔図３（Ａ）参照〕。
【００５０】
前記吊子本体Ａの第３実施形態として、前記吊子半体Ａ1は、垂直状支持板１の上端より前記傾斜状支持板２が折曲形成され、該傾斜状支持板２の下端から前記水平支持板３が折曲形成され、該水平支持板３の内端から下方に向かって垂下状板５が形成され、該垂下状板５は前記垂直状支持板１に固着されたものである〔図３（Ｂ）参照〕。
【００５１】
以上の吊子本体Ａの第１乃至第３実施形態では、吊子半体Ａ1，Ａ1は、垂直状支持板１，１を介してリベット等の固着具又はスポット溶接等の固着手段によって固着され、吊子本体Ａが構成される。そして両三角状部Ａ2，Ａ2によって、二等辺三角形が構成される。
【００５２】
両吊子半体Ａ1，Ａ1は、左右で独立した構造物であり、固着具７或いは溶接個所による接続箇所以外での伸縮は、それぞれ自由に弾性範囲内で伸縮可能となる。つまり、両吊子半体Ａ1，Ａ1は、それぞれにかかる荷重の違いによって、伸縮量も相互に異なるようにすることができ、外囲体を介して吊子本体Ａにかかる負圧に柔軟且つ強固に対応することができる。
【００５３】
前記吊子本体Ａの第４実施形態として、左右対称の吊子半体Ａ1，Ａ1において、垂直状支持板１は、両吊子半体Ａ1，Ａ1において共用して、垂直状支持板１を１つとした実施形態も存在する〔図３（Ｃ）参照〕。また、第４実施形態では、両三角状部Ａ2，Ａ2の両傾斜状支持板２，２及び両水平支持板３，３についても、一枚の金属板を折曲形成して一体成形することもある〔図３（Ｃ）参照〕。さらに、前記吊子本体Ａの第５実施形態として、垂直状支持板１の下部をそのまま台座６として使用する実施形態も存在する〔図４（Ｃ）参照〕。
【符号の説明】
【００５４】
Ａ…吊子本体、Ａ1…吊子半体、Ａ2…三角状部、１…垂直状支持板、
２…傾斜状支持板、３…水平支持板、４…垂直立上り板、５…垂下状板、６…台座、
７…固着具、８…折板屋根板、８５…下馳部、８５ａ…水平底面、８６…上馳部、
８６ａ…水平底面、９…構造材。
【図１】
0006423627.tif 000003
【図２】
0006423627.tif 000004
【図３】
0006423627.tif 000005
【図４】
0006423627.tif 000006
【図５】
0006423627.tif 000007
【図６】
0006423627.tif 000008